(57)【要約】【課題】  撮影した画像を受信した端末で、その画像が誰から配信されたものであるかを特定することが容易でない。特に受信後の画像データが移動や複写された場合には、その判別が困難になる。【解決手段】  送信対象の画像に対して予め登録済みのオーナ顔画像を貼り付けるように設定されると（Ｓ１３０４）、オーナ顔画像データを任意のサイズに拡大、縮小して（Ｓ１３０５）、それを送信対象の画像の所定の位置に合成して合成画像を生成する（Ｓ１３０６）。こうして生成した合成画像を、ネットワークを介して他のデータ処理装置に配信する（Ｓ１３０７）。【選択図】  図１３
2006166409.tif 000002
【特許請求の範囲】
【請求項１】
ネットワーク内の他の端末にデータを送信可能なデータ処理装置において、
前記データ処理装置の属性情報を登録する登録手段と、
前記登録手段によって登録した所有者の属性情報をデータに付加する付加手段と、
前記付加手段により前記属性情報が付加されたデータを前記ネットワーク内の他の端末に送信する送信手段と、
を有することを特徴とするデータ処理装置。
【請求項２】
前記データ処理装置は、撮像装置であることを特徴とする請求項１に記載のデータ処理装置。
【請求項３】
前記登録手段は、前記撮像装置の撮影モード中に登録モードに遷移し、撮影した画像から前記属性情報を抽出して前記撮像装置に格納することを特徴とする請求項２に記載のデータ処理装置。
【請求項４】
前記登録手段は、前記撮像装置の再生モード中に登録モードに遷移し、再生した画像から前記属性情報を抽出して前記撮像装置に格納することを特徴とする請求項２に記載のデータ処理装置。
【請求項５】
前記属性情報は、特定の人物を示すテキスト情報であることを特徴とし、前記付加手段は前記データに前記テキスト情報を付加することを特徴とする請求項１乃至４のいずれか１項に記載のデータ処理装置。
【請求項６】
前記属性情報は所定の人物の顔画像であり、前記付加手段は前記データに前記顔画像を付加することを特徴とする請求項１乃至５のいずれか１項に記載のデータ処理装置。
【請求項７】
前記属性情報は所定の人物の音声データであり、前記付加手段は前記データに前記音声データを付加することを特徴とする請求項１乃至５のいずれか１項に記載のデータ処理装置。
【請求項８】
前記属性情報は、所定の人物を示す顔画像であり、前記付加手段は前記撮像装置で撮影した送信しようとする画像の特定領域内に前記顔画像を上書きすることを特徴とする請求項２に記載のデータ処理装置。
【請求項９】
前記属性情報は、前記データ処理装置の所有者を特定する特定する属性情報であることを特徴とする請求項１乃至８のいずれか１項に記載のデータ処理装置。
【請求項１０】
前記送信手段は、配信者を特定する特定情報を付加したデータを送信することを特徴とする請求項１乃至９のいずれか１項に記載のデータ処理装置。
【請求項１１】
ネットワークの他の端末にデータを送信可能なデータ処理装置の制御方法であって、
前記データ処理装置の属性情報を登録する登録工程と、
前記登録工程で登録した所有者の属性情報をデータに付加する付加工程と、
前記属性情報を付加したデータを前記ネットワークの他の端末に送信する送信工程と、を有することを特徴とするデータ処理装置の制御方法。
【請求項１２】
前記データ処理装置は、撮像装置であることを特徴とする請求項１１に記載のデータ処理装置の制御方法。
【請求項１３】
前記登録工程は、前記撮像装置の撮影モード中に登録モードに遷移し、撮影した画像から前記属性情報を抽出して前記撮像装置に格納することを特徴とする請求項１２に記載のデータ処理装置の制御方法。
【請求項１４】
前記登録工程は、前記撮像装置の再生モード中に登録モードに遷移し、再生した画像から前記属性情報を抽出して前記撮像装置に格納することを特徴とする請求項１２に記載のデータ処理装置の制御方法。
【請求項１５】
前記属性情報は、特定の人物を示すテキスト情報であり、前記付加工程はデータに前記テキスト情報を付加することを特徴とする請求項１１乃至１４のいずれか１項に記載のデータ処理装置の制御方法。
【請求項１６】
前記属性情報は特定の人物を示す顔画像であり、前記付加工程はデータに前記顔画像を付加することを特徴とする請求項１１乃至１４のいずれか１項に記載のデータ処理装置の制御方法。
【請求項１７】
前記属性情報は特定の人物を示す音声データであり、前記付加工程はデータに前記音声データを付加することを特徴とする請求項１１乃至１４のいずれか１項に記載のデータ処理装置の制御方法。
【請求項１８】
前記属性情報は特定の人物を示す顔画像であり、前記付加工程は前記撮像装置で撮影した送信対象の画像の特定領域内に前記顔画像を上書きすることを特徴とする請求項１２に記載のデータ処理装置の制御方法。
【請求項１９】
前記属性情報は、前記データ処理装置の所有者を特定する特定する属性情報であることを特徴とする請求項１１乃至１４のいずれか１項に記載のデータ処理装置の制御方法。
【請求項２０】
前記送信工程は、配信者を特定する特定情報を付加したデータを送信することを特徴とする請求項１１乃至１９のいずれか１項に記載のデータ処理装置の制御方法。
【請求項２１】
送信データに当該データに属性情報を付して送信する送信手段を有する第１データ処理装置から送信されたデータを受信する第２データ処理装置であって、
受信したデータを処理するときに前記データに付加された前記属性情報を実行する実行手段を有することを特徴とするデータ処理装置。
【請求項２２】
前記送信データは、画像データであることを特徴とする請求項２１に記載のデータ処理装置。
【請求項２３】
前記属性情報は、前記第１データ処理装置の所有者を示すテキスト情報を含み、受信した画像を第２データ処理装置の表示装置に表示するときに当該画像の一部の領域に前記テキストデータを上書きして表示することを特徴とする請求項２１に記載のデータ処理装置。
【請求項２４】
前記属性情報は、前記第１データ処理装置の所有者を示す顔画像を含み、受信した画像を第2のデータ処理装置の表示装置に表示するときに同時に前記顔画像を表示することを特徴とする請求項２１に記載のデータ処理装置。
【請求項２５】
前記属性情報は、前記第１データ処理装置の所有者を示す音声データを含み、受信した画像を前記第２データ処理装置の表示装置に表示すると同時に前記音声データを再生することを特徴とする請求項２１に記載のデータ処理装置。
【請求項２６】
前記属性情報は前記第１データ処理装置の所有者を示すテキスト情報を含むことを特徴とし、受信した画像を第２データ処理装置を介して印刷するときに当該画像の一部の領域に前記テキストデータを上書きして印刷することを特徴とする請求項２１に記載のデータ処理装置。
【請求項２７】
前記属性情報は、前記第１データ処理装置の所有者を示す顔画像を含み、受信した画像を前記第２データ処理装置を介して印刷するときに当該画像の一部の領域に前記顔画像を上書きして印刷することを特徴とする請求項２１に記載のデータ処理装置。
【請求項２８】
送信データに当該データに属性情報を付して送信する送信工程を有する第１データ処理装置から送信されたデータを受信する第２データ処理装置の制御方法であって、
受信したデータを処理するときに前記データに付加された前記属性情報を実行する実行工程を有することを特徴とするデータ処理装置の制御方法。
【請求項２９】
前記送信データは、画像データであることを特徴とする請求項２８に記載のデータ処理装置の制御方法。
【請求項３０】
前記属性情報は、前記第１データ処理装置の所有者を示すテキスト情報を含み、受信した画像を表示するときに当該画像の一部の領域に前記テキストデータを上書きして表示することを特徴とする請求項２８に記載のデータ処理装置の制御方法。
【請求項３１】
前記属性情報は、前記第１データ処理装置の所有者を示す顔画像を含み、受信した画像を表示するときに同時に前記顔画像を表示することを特徴とする請求項２８に記載のデータ処理装置の制御方法。
【請求項３２】
前記属性情報は、前記第１データ処理装置の所有者を示す音声データを含み、受信した画像を表示すると同時に前記音声データを再生することを特徴とする請求項２８に記載のデータ処理装置の制御方法。
【請求項３３】
前記属性情報は、前記第１データ処理装置の所有者を示す顔画像を含み、受信した画像を表示するときに当該画像の一部の領域に前記顔画像を上書きして表示することを特徴とする請求項２８に記載のデータ処理装置の制御方法。
【請求項３４】
前記属性情報は前記第１データ処理装置の所有者を示すテキスト情報を含み、受信した画像を前記第２データ処理装置を介して印刷するときに当該画像の一部の領域に前記テキストデータを上書きして印刷することを特徴とする請求項２８に記載のデータ処理装置の制御方法。
【請求項３５】
前記属性情報は、前記第１データ処理装置の所有者を示す顔画像を含み、受信した画像を前記第２データ処理装置を介して印刷するときに当該画像の一部に前記顔画像を上書きして印刷することを特徴とする請求項２８に記載のデータ処理装置の制御方法。
【発明の詳細な説明】
【技術分野】
【０００１】
本発明は、データ処理装置及びその制御方法に関する。
【背景技術】
【０００２】
デジタルカメラや写真機能付き携帯電話の普及に伴って、ある人が撮影した撮影画像を別の人、或は複数の人で共有したいという要望が高まっている。例えば、写真機能付き携帯電話の場合には、その撮影画像を送信したい人をメールアドレスや電話番号で特定し、その特定した宛先に、その画像を送信することにより、複数の人との間で特定の撮影画像を共有することができる。
【特許文献１】特開２００１−２８５４１号公報
【発明の開示】
【発明が解決しようとする課題】
【０００３】
しかしながら上記従来の技術では、以下の問題がある。他の撮像装置で撮影された画像を、ネットワークを介して自動で、もしくはリムーバブルメディア等のメモリを介して手動で取得する場合、複数の配信元からの画像が次々と送られてくることが想定される。この場合、送信される画像が誰から送信されたものであるかを瞬時に認知するのは困難である。この課題に対して、送信元に応じて受信側の送信画像データの格納領域を変更することが考えられる。例えば、送信元毎にディレクトリやフォルダを変えて格納すればよい。しかしこの場合は、格納されている場所のみが唯一の特定情報であって、画像データそのものから送信元を特定することはできないという問題がある。
【０００４】
特許文献１では、主に電話等の端末で、予め受信側で登録した送信元からの情報を受信する際、受信側端末の表示装置に表示する手法が記載されている。しかし、これはあくまでも送信元情報は受信側で登録していることが前提で、未登録であれば送信元の情報が得られないという問題がある。
【０００５】
本願発明は上述した従来の課題を解決することを目的とする。
【０００６】
本願発明の特徴は、配信する撮影画像の発信者、もしくは所有者を特定できる属性情報を付加して画像を配信することにより、受信側における画像の発信者の確認を容易にしたデータ処理装置及びその制御方法を提供することにある。
【課題を解決するための手段】
【０００７】
本願発明の一態様に係るデータ処理装置は以下のような構成を備える。即ち、
ネットワーク内の他の端末にデータを送信可能なデータ処理装置において、
前記データ処理装置の属性情報を登録する登録手段と、
前記登録手段によって登録した所有者の属性情報をデータに付加する付加手段と、
前記付加手段により前記属性情報が付加されたデータを前記ネットワーク内の他の端末に送信する送信手段とを有することを特徴とする。
【０００８】
本願発明の一態様に係るデータ処理装置の制御方法は以下のような工程を備える。即ち、
ネットワークの他の端末にデータを送信可能なデータ処理装置の制御方法であって、
前記データ処理装置の属性情報を登録する登録工程と、
前記登録工程で登録した所有者の属性情報をデータに付加する付加工程と、
前記属性情報を付加したデータを前記ネットワークの他の端末に送信する送信工程と、を有することを特徴とする。
【発明の効果】
【０００９】
本発明によれば、複数の人でデータを共有する場合、そのデータがどこから送信されたものであるかを容易に識別でき、共有後のデータ分類の負荷を減少できるという効果がある。
【発明を実施するための最良の形態】
【００１０】
以下、添付図面を参照して本発明の好適な実施の形態を詳しく説明する。尚、以下の実施の形態は特許請求の範囲に係る発明を限定するものでなく、また本実施の形態で説明されている特徴の組み合わせの全てが発明の解決手段に必須のものとは限らない。
【００１１】
［実施の形態１］
まず初めに本願の実施の形態１について説明する。この実施の形態１では、特定のカメラで撮影した画像を、ネットワークを構成する他の端末に送信するとき、そのカメラに予め登録済みの撮影者の顔画像を、送信する画像の右下の領域に上書きして、更新した送信画像を送信する方法について説明する。
【００１２】
図１は、本実施の形態に係るデジタルカメラ１０の構成を示すブロック図である。
【００１３】
カメラ制御部１１は、このカメラ１０全体の動作を統括して制御しており、物理的にはＣＰＵと、このＣＰＵにより実行される制御プログラムを格納しているＲＯＭと、ＣＰＵによる制御処理の実行時に、各種データを一時的に保存するＲＡＭ等によって構成されている。この制御部１１における制御対象は、入力部１３からのシャッタ等のトリガをもとにした撮像部１２における画像撮影、撮影した画像データを有線または無線経由での出力、電源監視、及び後述する顔識別情報及び配信先の登録等である。
【００１４】
撮像部１２は、撮像素子（ＣＣＤ）と画像バッファメモリ等を含み、撮影した画像を、一時バッファメモリに保存した後に、カメラ制御部１１からの制御によって、メモリカード等の記憶媒体２０に記憶したり、或は有線又は無線制御部を経由してカメラ１０の外部に送信することができる。入力部１３は、ユーザにより操作されるスイッチやボタン等を含み、ＵＩを使用した操作、電源、シャッタ、カメラズーム等の操作を行うのに使用される。電池１４は、カメラ１０全体の電力を供給する。場合によって、コネクタ１７を経由して外部に供給するようにしてもよく、また外部から電力の供給を受けるようにしてもよい。電源監視部１５は、電池１４の電池容量を測定してカメラ制御部１１に通知する。
【００１５】
有線通信部１６は、コネクタ１７のコントローラの役割を果たし、コネクタの接続状況の監視も行い、この監視結果をカメラ制御部１１に通知する。コネクタ１７は、複数の接続端子によって構成され、他の端末（例えばＰＣやプリンタ等）との間で、制御信号を受け渡し画像データを送信する。またこのコネクタ１７には、電源線等が含まれる。
【００１６】
無線通信部１８は、無線通信に関する機能を有し、カメラ制御部１１から受信した信号を受け取り、ＲＦ信号に変調した後にアンテナ１９に送信する。またアンテナ１９から受けたＲＦ信号を復調してカメラ制御部１１に渡す。アンテナ１９は、ＲＦ信号の送受信を受け持つ。
【００１７】
登録部２１は、ネットワークを構成する端末の配信先情報を登録している。ここで配信先情報は例えばＩＰであっても良く、また各人の携帯電話番号、メールアドレス等であっても良い。またこのカメラのユーザ、主に所有者、撮影者になるが、その顔画像を撮影して登録する。登録内容は記憶媒体２０に記憶する。表示部２２は、撮影される画像、或は撮影済みの画像、更にはＵＩのためのメッセージやメニューなどの表示を行う。
【００１８】
図２は、登録部２１に登録されているネットワークを構成する端末の配信先情報を説明する図である。
【００１９】
図において、Ａは、このカメラ１０のユーザである。Ｂ〜Ｄは、写真の配信先として登録されている人物の配信先情報を示し、ここでは配信先情報はその人物が所有しているデジタルカメラのＩＰアドレスで示されている。
【００２０】
図３は、本実施の形態に係るデジタルカメラ１０における顔情報及び配信先情報の登録処理を説明するフローチャートで、この処理はカメラ制御部１１により実行される。
【００２１】
まずステップＳ１で、登録したい人物を撮影して、その撮影した画像情報を入力する。次にステップＳ２で、その撮影されている人物の顔の特徴情報を抽出する。そしてステップＳ３で、その顔の識別情報を生成する。次にステップＳ４で、その顔識別情報の生成に成功したかどうかを判定し、成功していないときは表示部２２に、再度登録のための操作を行うようにユーザに指示するメッセージを表示する。
【００２２】
こうして顔識別情報が生成されるとステップＳ６に進み、ユーザ名、配信先情報を入力するための画面を表示部２２に表示し、入力部１３を使用してそれらが入力されるとステップＳ７に進み、顔識別情報及び配信先情報を登録部２１に登録する。
【００２３】
図４は、顔識別情報及び配信先情報を登録するためのＵＩ画面例を示す図である。
【００２４】
図４（Ａ）は、図３のステップＳ１の時点で、顔識別情報を登録するモードの開始時に表示部２２に表示される画面例を示している。図４（Ｂ）は、図３のステップＳ６において、顔識別情報の抽出が完了した後、配信先情報（ここではＩＰアドレス）の入力を促すための画面例を示している。ここでまず現在登録作業を行っているカメラへの配信を行うか任意のＩＰアドレスに設定するかを、入力部１３にあるユーザインターフェースを用いながら図４（Ｂ）上のカーソル４０２を移動して決定する。例えば所有者Ａの配信を登録する際には、カーソル４０２を自カメラに設定することで自動的に配信先を登録できる。一方、他のカメラへの配信を指定する場合は、カーソル４０２を移動して任意のＩＰアドレスを設定する。
【００２５】
本実施の形態では、他の配信先を設定する場合で説明する。任意のＩＰアドレス設定の場合には欄４００に、そのユーザのカメラのＩＰアドレスを入力し、ＯＫボタン４０１を指示する。これにより、その顔識別情報に対応付けて配信先情報が登録される。尚、配信先情報には、登録しているカメラのＩＰアドレスに限定されるものではなく、例えばこのカメラを所有するユーザが常時撮影した画像を蓄積するストレージのＩＰアドレスを指定しても良い。また、自分の所有するカメラであっても、撮像した画像の配信先として別のストレージ等を登録しても良い。
【００２６】
次に前述の図３のフローチャートに基づいて、カメラで撮影された画像に、登録されている人物が含まれているかどうかを判定し、その人物が含まれていればその画像を、そのユーザのカメラに送信する場合で説明する。
【００２７】
図５は、本発明の実施の形態１に係るカメラ１０における処理を説明するフローチャートである。
【００２８】
まずステップＳ１１で、撮影画像を入力する。これは自機の撮像部１２により撮影した画像でも良く、或は他のカメラで撮影された画像が記憶されているメモリカードを装着することにより入力された画像でも良い。次にステップＳ１２で、その画像に含まれている人物の顔を認識し、その顔の特徴情報を抽出して顔識別情報を求める。次にステップＳ１３で、ステップＳ１２で抽出した顔識別情報に対応する顔識別情報が登録部２１に登録されているかどうかを判別する。登録されていないときはステップＳ１６に進むが、登録されているときはステップＳ１４に進み、その顔識別情報に対応する配信先情報を読み出す。そしてステップＳ１５で、その配信先情報に基づいて無線通信部１７から無線によりその画像情報を送信する。そしてステップＳ１６で、その画像に含まれている全ての顔の識別が完了したかを調べ、まだ未処理の顔が含まれているときはステップＳ１２に戻り、前述の処理を実行する。こうして、その画像に含まれている全ての人の顔の認識及び送信処理が完了すると、この処理を終了する。ここで本実施の形態では、ステップＳ１２からステップＳ１４で識別する毎にその画像の送信を行っているが、全ての画像の識別を完了した上で一度に送信することも可能である。
【００２９】
また本実施の形態では、一台のカメラによって複数台のカメラの顔識別情報とその配信先情報の登録処理を行っている。しかし本発明はこの形態に限定されるものではなく、各カメラで関連付けた顔識別情報と配信先情報の組み合わせを配信元となる一台のカメラの登録部２１に送信することによって登録しても良い。
【００３０】
更に本実施の形態では、識別情報及び配信先情報の登録情報の保持は全て、識別情報の元データを取得可能、或いは算出可能な装置に限定していた。つまり顔識別情報の登録先はカメラ等の撮像装置としていた。しかし、識別情報の元データを取得可能、或いは算出可能な装置で登録した登録情報を、識別情報の元データ取得が不可能なデータ処理装置、例えばプリンタ等に送信しても良い。また、データ処理装置に付属している着脱可能な記憶媒体のスロットに記憶媒体を挿入し、その記憶媒体に記憶されている画像を自動配信しても良い。
【００３１】
［実施の形態２］
次に本発明の実施の形態２について説明する。この実施の形態２では、複数のデジタルカメラ同士でグルーピング（仲間として登録）を行い、そのグループ内で画像を撮影したカメラから他のカメラに対して、そのカメラのユーザの顔識別情報及び配信先情報を問合せる。この問合せに対して各カメラから送信されたカメラのユーザの顔識別情報に基づいて、その画像にその人物が含まれているかどうかを判別する。そして含まれていれば、その画像をそのユーザのカメラが指定する送信先に送信するものである。尚、この実施の形態２に係るカメラの構成は前述の実施の形態１のカメラの構成と同様であるため、その説明を省略する。
【００３２】
図６は、本発明の実施の形態２の特徴を最も良く示す図である。
【００３３】
ここではユーザＡ〜Ｅのそれぞれが自分用のカメラを有しており、これらユーザＡ〜Ｅのカメラは１つのグループに含まれるものとしてグルーピングされている。また各カメラには、そのユーザの顔識別情報及びＩＰアドレスが登録されているものとする。ここで前述の実施の形態１と異なる点は、ユーザの顔識別情報及びＩＰアドレスの登録情報が配信元のカメラの登録部２１に一元的に管理されているのではなく、それぞれのカメラの登録部２１に格納されることである。従って、配信前に配信候補先の端末と交信を行う必要がある。以降、この場合の識別手順について説明する。まずユーザＡのカメラを使用して、人物Ａ，Ｄ，Ｅが含まれている画像を撮影した場合、そのカメラは、予めグルーピングされている他のカメラのそれぞれに対して、各カメラに登録されているユーザの顔識別情報及びＩＰアドレスを要求する。この要求を受け取った各カメラは、それに対して顔識別情報及び配信先情報を送信して応える。これを受信したカメラＡは、その受信した顔識別情報に基づいて、撮影画像６００に含まれている人物を特定し、その特定した人物に対応する配信先に、その撮影画像を送信する。
【００３４】
図７は、複数のカメラ同士でグルーピングを行う場合に、各カメラで行われる処理を説明するフローチャートである。
【００３５】
まずステップＳ３１で、無線ネットワーク内に存在しているカメラを検索する。ステップＳ３２で、カメラを検知するとステップＳ３３に進み、そのカメラに対して、そのカメラの識別情報を要求し、その要求に応答したカメラの識別情報をネットワーク登録リストとして制御部１１のメモリに記憶する。これによりグルーピングされている各カメラの、このネットワーク内における識別情報を取得して登録することができる。尚、このステップＳ３３で、１つのグループとして登録されたカメラの優先順位を登録順とすることにより、これ以降の問合せや画像の送信の際のカメラの優先順位が、この登録順に準じるようにしても良い。
【００３６】
図８は、本発明の実施の形態２に係るカメラにおける撮影画像のグループ内での転送処理を説明するフローチャートである。
【００３７】
ステップＳ４１で撮影画像を入力する。これは自機の撮像部１２により撮影した画像でも良く、或は他のカメラで撮影された画像が記憶されているメモリカードを装着することにより入力された画像でも良い。次にステップＳ４２で、グルーピングされているカメラのそれぞれに対して、各カメラに登録されている顔識別情報及び配信先情報を問合せる。この場合の問合せ順は、例えば前述の登録順としても良い。次にステップＳ４３では、その問合せ先のカメラからの応答があるかどうかを調べ、あればステップＳ４７に進むが、応答がないときはステップＳ４４に進み、所定回数問合せを行ったかを調べ、所定回数に達していないときはステップＳ４５で、その問合せを再送してステップＳ４３に戻る。一方、ステップＳ４４で所定回数再送を行った場合はステップＳ４６に進み、そのカメラが、このネットワーク内に存在しないか、或は電源がオフであると判定して、そのカメラに対する問合せを断念してステップＳ４９に進む。
【００３８】
一方、ステップＳ４３で、問合せ先のカメラからの応答がある時は顔識別情報及び配信先情報が送信されるためステップＳ４７で、受信した顔識別情報及び配信先情報を記憶する。そしてその撮影画像に、その受信した顔識別情報に対応する顔が含まれているかどうかを判定する。含まれている場合はステップＳ４８に進み、その顔識別情報に対応する配信先情報に対応するカメラに、その撮影画像を送信する。そしてステップＳ４９で、そのグループ内の全てのカメラに対して問合せを行ったかどうかを調べ、全てに対して問合せを行った場合は処理を終了するが、そうでない場合はステップＳ４２に戻り、前述の処理を実行する。
【００３９】
こうして、あるグループに登録されているカメラ同士で撮影画像のやり取りを行うことができる。
【００４０】
尚、本実施の形態２では、あるグループ内で画像情報をやり取りする場合、各カメラがそれぞれ対等に送信を行うことができる場合で説明したが本発明はこれに限定されるものではない。例えば最初にグルーピングを開始したカメラにサーバと同様の機能を持たせ、他のカメラはクライアントとして機能するようにしても良い。こうしてカメラ間での画像送信の競合を、サーバにより調停できるようにしても良い。
【００４１】
図９は、本実施の形態２に係るカメラ同士の画像送信の順番を決定する処理を説明するフローチャートである。ここでサーバは、グルーピングを開始したカメラであり、クライアントは、このグループに参加しているカメラとする。図９のステップＳ５１〜Ｓ５４はクライアントにおける処理を示し、図９のステップＳ６１〜Ｓ６６はサーバにおける処理を示している。尚、この処理は図５のステップＳ１５及び図８のステップＳ４８で実行されても良い。
【００４２】
まずステップＳ５１で、クライアントが画像の送信（配信）を要求する。これによりサーバはステップＳ６１で、その送信要求を受信する。次にステップＳ６２で、その送信要求を送信待ちリストに追加する。次にステップＳ６３で、このグループ内で、データを送信中のカメラがあるかどうかを調べる。送信中のカメラがあるときはステップＳ６３で待機するが、送信中のカメラがなくなるとステップＳ６４に進み、送信待ちリストに含まれている最先に登録されたカメラに対して送信許可を通知する。そしてステップＳ６５で、その送信要求を送信待ちリストから削除する。サーバは更にステップＳ６６で、送信待ちリストが空であるか否かを確認し、空でないとき、即ち、送信待ちのクライアントがある場合はステップＳ６３に戻り、前述の処理を実行する。そして送信待ちリストが空になると、この処理を終了する。
【００４３】
こうして発行された送信許可を受信したクライアントでは、ステップＳ５２からステップＳ５３に進み、送信対象であるカメラに対して画像情報を送信する。そして送信を完了すると送信完了をサーバに通知する。
【００４４】
図１０（Ａ）（Ｂ）は、送信先のカメラが圏外に移動している場合のリカバリ処理を説明する図である。
【００４５】
図１０（Ａ）において、画像情報の送信が指示されるとステップＳ７１に進み、送信が可能かどうかをみる。送信が可能な場合はステップＳ７２に進み、前述のステップＳ１５或はステップＳ４８に示すような画像情報の送信処理に進む。
【００４６】
一方、ステップＳ７１で送信が不可能な場合はステップＳ７３に進み、送信予約を行うかどうかを判定する。行わないときはステップＳ７４で、その送信要求をキャンセルする。一方ステップＳ７３で送信予約を行う場合はステップＳ７５に進み、その送信要求を送信待ちリストに追加する。次にステップＳ７６で送信が可能かどうかを判断し、可能であればステップＳ７８に進んで、その送信要求を送信待ちリストから削除してステップＳ７２に進む。またステップＳ７６で送信可能でないときはステップＳ７７に進み、所定時間ウエイトしてステップＳ７６を繰り返す。
【００４７】
図１０（Ｂ）は、ステップＳ７３で、送信の予約を行うかどうかをユーザに問い合わせる際に表示部２２に表示されるＵＩ画面例を示す図である。
【００４８】
ここでは、ステップＳ７１で送信が不可能な場合にステップＳ７３に進み、「送信できません」と表示し、更に「送信先端末は圏外にあります。送信予約しますか？」というメッセージを表示する。ここで「ＹＥＳ」が選択されてＯＫボタンが指示されることによりステップＳ７５に進んで、その送信要求が送信予約リストに追加登録される。
【００４９】
このようにすることにより、相手先のカメラが圏外にある状態でも、再び圏内に戻ってきた場合に、自動的にその相手先に送信することができる。
【００５０】
また複数のカメラ間での画像情報が同時に送信されることによる送信の競合を防止できる。
【００５１】
尚、これらグループ内でやり取りされる画像に、そのグループ内の画像であることを示す特定のマーク（アイコン）を追加して配信するようにしても良い。
【００５２】
また前述の図８のステップＳ４２における各カメラへの問合せは、各カメラごとに行う場合で説明したが本発明はこれに限定されるものでなく、グループ内のカメラにブロードキャストで送信しても良い。
【００５３】
また本実施の形態２では、顔の識別情報を基に、その写真にその人物が含まれているかどうかを判定するようにしたが本発明はこれに限定されるものでなく、その人物の服装或は他の識別できる情報であれば何でも良い。特に服装の特徴を登録する場合は、例えば、旅行中などのように短い期間だけのグルーピング或は人物及び配信情報の登録であれば問題ない。同様に撮影画像の解像度が十分であれば虹彩情報といった画像に写った生体情報を利用することが可能である。
【００５４】
また本実施の形態２では、静止画像について自動配信の方法を説明したが、動画像についても動画を構成する単位時間の静止画像に前述した処理を適用することができる。
【００５５】
更に本実施の形態では、識別情報及び配信先情報の登録情報の保持は全て、識別情報の元データが取得可能、或いは算出可能な装置に限定していた。つまり顔識別情報の登録先はカメラ等の撮像装置としていた。しかし、識別情報の元データが取得可能、或いは算出可能な装置で登録した登録情報を、識別情報の元データ取得が不可能なデータ処理装置、例えばプリンタ等に送信したり、データ処理装置付属の着脱可能な記憶媒体のスロットに記憶媒体を挿入し、その中に含まれる画像を自動配信しても良い。
【００５６】
［実施の形態３］
図１１は、本発明の実施の形態３に係るデジタルカメラ１０における撮影者、もしくは所有者の顔画像データの登録処理を説明するフローチャートで、この処理はカメラ制御部１１により実行される。
【００５７】
この処理は、ユーザが入力部１３を操作することによりオーナ顔の登録モードに遷移することにより開始され、まずステップＳ１１０１で、ユーザは登録すべき画像を撮影する。次にステップＳ１１０２で、その撮影した画像から顔の認識を行う。ここで登録部２１に含まれる顔認識プログラムは、撮影画像内に人間の顔の特徴を持つ顔画像領域を探索する。ステップＳ１１０３で、顔画像領域を認識できるとステップＳ１１０４に進み、その撮影した画像データを記憶媒体２０に書き込んで、登録を完了する。
【００５８】
一方、ステップＳ１１０３で顔画像が認識できない場合はステップＳ１１０５に進み、ユーザに対してエラー表示を行うと共に再試行するか否かの操作をユーザに促す。もし再試行する場合は再びステップＳ１１０１に戻り、先ほどの処理を再び繰り返す。ステップＳ１１０５で、ユーザが再試行を行わないと操作すれば、このオーナ顔登録モードを終了する。
【００５９】
図１２は、本実施の形態３に係る顔画像データを登録するためのＵＩ画面例を示す図である。
【００６０】
図１２（Ａ）は、図１１の処理の開始時点で、顔画像データを登録するモードの開始時に表示部２２に表示される画面例を示している。図１２（Ｂ）は、ステップＳ１１０３で顔画像を認識してステップＳ１１０４で登録処理を行い、その完了を通知する画面例を示している。ここで「ＯＫ」ボタン１２０１を指示すると、この登録処理を完了する。この「ＯＫ」ボタン１２０１の押下実行は、入力部１３にあるユーザインターフェースを用いて行う。
【００６１】
一方、撮影した画像に人物の顔画像が含まれない場合はステップＳ１１０３で、顔画像が存在すると認識されない。図１２（Ｃ）は、このときステップＳ１１０５で表示部２２に表示するＵＩ画面例を示している。ステップＳ１１０５では、顔認識できなかった画像を表示部２２に表示するとともに、顔認識処理を再試行するか否かの選択をユーザに促す。ここでユーザが「ＯＫ」ボタン１２０２を指示すると、オーナ顔画像の登録モードの初期画面に戻るが、「キヤンセル」ボタン１２０３を指示すると、この登録モードを終了する。
【００６２】
次にカメラで撮影された画像をネットワークを介して送信する。ネットワークを介して送信された画像は、配信先の受信端末で受信されるが、その画像は配信元の情報自体を含まない。このため受信時に、何らかの手段によって配信元を指定する必要がある。例えば、配信元に応じて記憶媒体２０のディレクトリフォルダを変更するこのが考えられる。しかし、画像のコピーや格納領域の変更を行うとその対応付けが崩れてしまうため、後々になって、受信した画像が誰のカメラから送られてきたものなのかがわからなくなってしまう。従って、送信する画像データそのものに配信元情報を挿入することが必要となる。
【００６３】
そこで本実施の形態３では、画像データを送信する際に、前述の図１１のフローチャートに基づいて登録したオーナの顔画像を、送信する撮影画像の右下の領域に貼り付けて配信先のユーザのカメラに送信する。
【００６４】
図１３は、本発明の実施の形態３に係るカメラ１０における処理を説明するフローチャートである。
【００６５】
まずカメラ１０を転送モードに変更し、ステップＳ１３０１で、送信すべき画像を選択する。これは自機の撮像部１２により撮影した画像でも良く、或は他のカメラで撮影された画像が記憶されているメモリカードを装着することにより入力された画像でも良い。次にステップＳ１３０２で、送信先を決定する。この送信先は図２で示す登録部２１に格納した配信先情報に基づいてユーザが入力部１３のキーボードやマウス等を使用して設定する。
【００６６】
ここでユーザは、ステップＳ１３０３で、送信先に応じてオーナ顔画像をデフォルトで挿入するか否かを設定することができる。これは次の手順ステップＳ１３０４に先立ち、送信画像にオーナ顔画像を挿入しないことを確定している場合には直ぐにステップＳ１３０７に進んで、その選択された画像を送信できるようにするためである。
【００６７】
オーナ顔画像の挿入可否に関する設定は、図１９に示すように登録部２１に登録した配信先情報に、初期設定のパラメータとして付加できる。しかし、このオーナ顔画像の挿入の可否設定は、本実施の形態３に限定されるものでなく、例えばローカルネットワークを構成する端末間では自動挿入設定を許可し、ローカルネットワーク外の端末に対しては自動挿入を禁止するようにしても良い。
【００６８】
次にステップＳ１３０４で、オーナ顔画像を付加するか否かを決定する。ここでユーザは、送信する画像に登録部２１に登録している顔画像データを貼り付けるか否かを選択する。ここでユーザが顔画像データを貼り付ける選択をしない場合はステップＳ１３０７に進み、直ちに、その選択された画像を送信する。一方、顔画像データを貼り付ける選択を行うとステップＳ１３０５に進み、撮影画像の画素数に対応して、オーナ顔画像の拡大、縮小を行う。本実施の形態３では、一例として撮影画像の解像度の縦横それぞれ８分の１の画素数に顔画像を拡大縮小する。例えば、横６４０画素、縦４８０画素からなる撮影画像に顔画像を合成する場合には、オーナ顔画像を横８０画素、縦６０画素に縮小する。但し、合成すべき顔画像のサイズは本実施の形態に限定されるものではなく、任意のサイズで良い。こうしてステップＳ１３０５で、登録顔画像の縮小が終わるとステップＳ１３０６に進み、送信画像とオーナ顔画像を合成する。この合成は、それぞれの画像の右下が一致するよう位置合わせして合成する。
【００６９】
図１４は、本実施の形態３に係るステップＳ１３０６における画像合成の様子を説明する図である。
【００７０】
１４０１はカメラ１０で撮影した画像を示し、これをステップＳ１３０１で選択してネットワークを構成する他の端末に送信するものとする。１４０２は、カメラ１０に予め登録したオーナの顔画像である。ステップＳ１３０４で、オーナの顔画像を付加するよう選択するとステップＳ１３０５で、そのオーナ顔画像１４０２を縮小して、１４０３で示す様な縮小画像を生成する。そして送信対象の画像１４０１と、その縮小したオーナ顔画像１４０３とを、それぞれの画像の右下が一致するように位置合わせした合成画像１４０４を生成する。
【００７１】
以上のようにして作成した画像をステップＳ１３０７で送信する。この送信は、有線通信部１６或いは無線通信部１８のいずれかを用いることができ、通信手段における物理的仕様、或いは論理仕様は本発明で限定されるものではない。
【００７２】
以上説明したように本実施の形態３によれば、送信者が登録したオーナ顔画像を含む画像を受信側の端末に送信できるため、受信者は、その画像を見ただけで誰から送信された画像であるかを容易に判別できる。また、その受信して記憶した画像データを別の記憶媒体（フォルダ等も含む）に移動、複写する場合でも、オーナ情報はその顔画像の情報として常に画像データに付随しているため、その画像の撮影者、画像の発信者を示す情報を保持できる。
【００７３】
尚、本実施の形態３では、送信側のカメラが登録する所有者、撮影者の特定情報が顔画像で、その顔画像データを配信するデータに書き込むことで受信者が容易に配信元を特定できるとした。しかし本発明はこの形態に限定されるものではなく、例えば予め送信側のカメラで所有者の氏名等を記録したテキスト情報を登録しておき、送信時に図１５に示すように、画像データの下部にテキストデータを変換した文字データを貼り付けても良い。これにより、元の画像が顔情報により隠される部分が小さくなり、元の画像の劣化を少なくできる。
【００７４】
図１５は、この実施の形態３の変形例を説明する図で、送信対象の画像の右下に撮影者を示す「撮影者：Ａ」が記述されている。
【００７５】
また本実施の形態３では、静止画像について送信時の画像合成方法を説明したが、動画像についても動画を構成する単位時間の静止画像群の全て、もしくは一部の画像に前述した処理を適用することができる。
【００７６】
また顔画像や、発信者を示す文字データの合成位置を、送信対象の画像の右下としたが本発明はこれに限定されるものでなく、その画像の隠されても良い領域（意味のない領域）に、これら顔画像や文字データを貼り付けるようにしても良い。
【００７７】
[実施の形態４]
次に本発明の実施の形態４について説明する。この実施の形態４では、特定のカメラで撮影した画像を、ネットワークを介して他の端末に送信するとき、そのカメラに予め登録済みの撮影者の顔画像を、送信する画像データの末尾に追加する。それとともに、そのデータに顔画像のオフセットを含むヘッダを付加することにより、更新した送信画像を送信する方法について説明する。また受信端末では、更新した送信データのヘッダを解析することによって、送信された画像の末尾に付加された顔画像を再生、合成して表示する。尚、この実施の形態４に係るカメラの構成は、前述の実施の形態１のカメラの構成と同様であるため、その説明を省略する。また撮影者もしくは所有者の顔画像データの登録処理についても前述の実施の形態１と同様であるため、その説明を省略する。
【００７８】
図１６は、本発明の実施の形態４に係るカメラ１０における処理を説明するフローチャートである。
【００７９】
まずカメラ１０を転送モードに変更し、ステップＳ１６０１で、送信すべき画像を選択する。これは自機の撮像部１２により撮影した画像でも良く、或は他のカメラで撮影された画像が記憶されているメモリカードを装着することにより入力された画像から選択しても良い。次にステップＳ１６０２で、その画像の送信先を決定する。この送信先は図２で示す登録部２１に格納した配信先情報に基づいてユーザが入力部１３の操作部材を利用して設定する。
【００８０】
ここでユーザは、ステップＳ１６０３で、送信先に応じてオーナ顔画像をデフォルトで挿入するか否かを予め設定することができる。これは次の手順ステップＳ１６０４に先立ち、送信画像にオーナ顔画像を挿入しないと確定している場合には直ぐにステップＳ１６０７に進んで、その画像を送信できるようにするためである。
【００８１】
図１９は、オーナ顔画像の挿入可否に関する設定例を示す図である。このように登録部２１に登録した配信先情報に、挿入するか否かを示す初期設定のパラメータを付加することができる。
【００８２】
次にステップＳ１６０４で、オーナ顔画像を付加するか否かを決定する。ここではユーザは、送信する画像に予め登録部２１に登録している顔画像データを送信対象の画像データの一部として挿入するか否かを選択する。ここでユーザが顔画像データを挿入する選択をしなければステップＳ１６０７に進んで、直ちにその画像を送信する。しかし顔画像データを挿入するように選択するとステップＳ１６０５に進み、送信対象の画像データへ顔画像データの挿入に先立って、ヘッダに書き込むべきデータオフセットを算出する。本実施の形態３では、一例として画像データと顔画像データとを連結し、そのデータの先頭に顔画像データのオフセットを持つヘッダを付加して、新たなフォーマットを構成することにする。
【００８３】
図１７は、そのデータ構成を説明する図である。
【００８４】
図において、１７０１は、本実施の形態４で構成する送信データのフォーマットを示す。送信すべきデータは、ヘッダ１７０４、送信対象の画像１７０２、オーナ顔画像１７０３からなる。ステップＳ１６０５で、ヘッダ１７０４を作成する。このヘッダ１７０４には、このデータフォーマットにおけるオーナ顔画像へのオフセットが書き込まれる。そしてヘッダサイズと、対象画像とを足し合わせてデータオフセットを算出する。次にステップＳ１６０６で、ヘッダ１７０４、対象画像１７０２、オーナ顔画像１７０３をこの順に合成して、送信すべきデータ１７０１を生成する。そして最後にステップＳ１６０７で、その作成したデータ１７０１を、指定された送信先に送信する。この送信は、有線通信部１６或いは無線通信部１８のいずれかを用いることができ、通信手段における物理的仕様、或いは論理仕様は本発明で限定されるものではない。
【００８５】
本実施の形態４では、撮影画像とオーナ顔画像とを連結して１つのファイルとして送信する方法について説明したが、本発明はこれに限定されるものではなく、例えばそれぞれを分離して送信し、送信対象の画像データの持つヘッダに対応付けるべきオーナ顔画像のファイル名を書き込むようにしても良い。また、送信対象画像とオーナ顔画像とは別に画像プロパティとして独立して存在し、これらを対応付けて管理することも可能である。更に、送信するオーナ顔画像のファイルサイズを任意に設定することができ、データ通信の負荷を軽減するために、ステップＳ１６０６でそのファイルサイズを縮小してもよい。
【００８６】
次に受信側の端末における受信データの表示方法について説明する。本実施の形態４では、受信端末は送信端末と同様のカメラであるとし、その構成は図１に示す通りとする。以降、受信端末としてその表示処理について説明する。以下の制御は全てカメラ制御部１１により実行される。
【００８７】
前述の説明において送信側端末が図１６に示すフローチャートの処理に従って送信したデータが有線、無線の通信経路を経由して受信側のカメラ１０のコネクタ１７或は無線アンテナ１９に到着すると、有線通信部１６、もしくは無線通信部１８でそのデータを受信する。
【００８８】
次に図１８のフローチャートを用いて実施の形態４に係るデータの再生手順について説明する。再生する画像は前述した受信データであり、図１７に示すデータフォーマットに従う。
【００８９】
まずカメラ１０を再生モードに変更し、ステップＳ１８０１で、再生する画像を選択する。この再生画像は、この画像データとは別にサムネイル等の別ファイルを持ち、対象画像とは独立して再生表示が可能なものであるとする。再生画像の選択、及び以下の操作設定はユーザが入力部１３の操作部材を利用して行うものとする。
【００９０】
次にステップＳ１８０２で、再生対象の画像にオーナ顔画像データが連結されているか否かを判定する。これはデータの先頭にあるヘッダ１７０４を参照し、オーナ顔画像データのデータオフセットが有るか否かにより判定できる。このとき判定に必要なヘッダ１７０４のパラメータ構成は、本実施の形態４の構成に限定されるものではなく、データオフセットが存在するフラグなどを設けてもよい。ここでオーナ顔画像データが存在しなければステップＳ１８０６に進み、通常のシーケンスに従ってカメラ１０の表示部２２に表示する。
【００９１】
このステップＳ１８０２で、オーナ顔画像データが存在すると判定するとステップＳ１８０３に進み、オーナ顔画像を付加するか否かを決定する。これはユーザが、再生する画像に送信者情報となる顔画像データを貼り付けるか否かを選択することにより決定される。ここでユーザが顔画像データを貼り付けるように選択しなければ、ステップＳ１８０６に進んで、直ちに送信する。
【００９２】
顔画像データを貼り付けるように選択されるとステップＳ１８０３からステップＳ１８０４に進み、送信対象の画像の画素数に対応してオーナ顔画像の拡大、縮小を行う。本実施の形態４では、前述の実施の形態１と同様に、対象画像が持つ解像度の縦横それぞれ８分の１の画素数に登録されている顔画像データを拡大縮小する。但し、合成すべき顔画像のサイズは本実施の形態に限定されるものではなく任意のサイズでよい。こうしてステップＳ１８０４で顔画像の縮小処理を終了するとステップＳ１８０５に進み、送信対象の画像とオーナ顔画像とを合成する。この合成の方法も、前述の実施の形態１と同様に図１４のようにしても良い。そしてステップＳ１８０６で、その合成した画像を表示部２２に表示する。
【００９３】
以上のようにして実施の形態１と同様に、受信者は、その表示された画像を見ただけで、誰から送信された画像であるかを容易に識別できる。
【００９４】
本実施の形態４では、送信側のカメラが登録する所有者、撮影者の特定情報は顔画像であり、その顔画像データを配信するデータに書き込むことで受信者が容易に配信元を特定することができる。しかし本発明はこの形態に限定されるものではなく、例えば予め送信側のカメラで所有者の氏名等を記録したテキスト情報を登録して、送信時にそのテキスト情報を併せて送信しても良い。これにより、受信側のカメラは、図１５に示すように撮影画像データの下部にテキストデータを変換した文字データを貼り付けて表示できる。
【００９５】
またテキストデータだけでなく、音声データでも良い。音声データの場合は送信時に合わせて送信し、受信側のカメラの再生時に画像の表示と同時にその音声データの再生出力を行う。
【００９６】
また本実施の形態４では、静止画像を送信する際の画像合成方法について説明したが、動画像についても動画を構成する単位時間の静止画像群の全て、もしくは一部の画像に前述した処理を適用しても良い。
【００９７】
更に、本実施の形態４では、画像の再生方法のみに言及しているが、例えば受信装置としてプリンタなどの印刷装置を用いて印刷する場合にも適用できる。即ち、送信時に付加されたオーナ顔画像情報を、対象画像に上書きして印刷することで、その配信元の所有者、撮影者情報を容易に把握することができる。
【００９８】
［他の実施形態］
以上、本発明の実施の形態を詳述したが、本発明は、複数の機器から構成されるシステムに適用しても良いし、または一つの機器からなる装置に適用しても良い。また適用の用途としては必ずしもコンシューマ仕様のカメラに限定するものではなく、プリンタやセキュリティ、管理を目的とした監視カメラについても同様である。
【００９９】
なお本発明は、前述した実施の形態の機能を実現するソフトウェアのプログラムを、システム或いは装置に直接或いは遠隔から供給し、そのシステム或いは装置のコンピュータが、その供給されたプログラムコードを読み出して実行することによっても達成される場合を含む。その場合、プログラムの機能を有していれば、その形態はプログラムである必要はない。従って、本発明の機能処理をコンピュータで実現するために、該コンピュータにインストールされるプログラムコード自体も本発明を実現するものである。つまり、本発明には、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【０１００】
プログラムを供給するための記憶媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。その他のプログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記憶媒体にダウンロードすることによっても供給できる。また本発明のプログラムを構成するプログラムコードを複数のファイルに分割し、それぞれのファイルを異なるホームページからダウンロードすることによっても実現可能である。つまり本発明の機能処理をコンピュータで実現するためのプログラムファイルを複数のユーザに対してダウンロードさせるＷＷＷサーバも、本発明のクレームに含まれるものである。
【０１０１】
また、本発明のプログラムを暗号化してＣＤ−ＲＯＭ等の記憶媒体に格納してユーザに配布し、所定の条件を満足するユーザに対してインターネットを介してホームページから暗号化を解く鍵情報をダウンロードさせ、その鍵情報を使用することにより暗号化されたプログラムを実行してコンピュータにインストールさせて実現することも可能である。
【０１０２】
またコンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【０１０３】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１０４】
【図１】本実施の形態に係るデジタルカメラの構成を示すブロック図である。
【図２】本実施の形態に係るデジタルカメラの登録部に登録されている顔識別情報と、それに対応する配信先情報を説明する図である。
【図３】本実施の形態に係るデジタルカメラにおける撮影モードからの顔情報及び配信先情報の登録処理を説明するフローチャートである。
【図４】顔識別情報及び配信先情報を登録するためのＵＩ画面例を示す図である。
【図５】本発明の実施の形態１に係るカメラにおける処理を説明するフローチャートである。
【図６】本発明の実施の形態２の特徴を最も良く示す図である。
【図７】実施の形態２において、複数のカメラ同士でグルーピングを行う場合に、各カメラで行われる処理を説明するフローチャートである。
【図８】本発明の実施の形態２に係るカメラにおける撮影画像のグループ内での顔識別情報に基づく転送処理を説明するフローチャートである。
【図９】実施の形態２に係るカメラ同士の画像送信の順番を決定する処理を説明するフローチャートである。
【図１０】送信先のカメラが圏外に移動している場合のリカバリ処理を説明する図である。
【図１１】本実施の形態３に係るデジタルカメラにおける撮影者、もしくは所有者の顔画像データの登録処理を説明するフローチャートである。
【図１２】本実施の形態３に係る顔画像データを登録するためのＵＩ画面例を示す図である。
【図１３】本発明の実施の形態３に係るカメラにおける処理を説明するフローチャートである。
【図１４】本実施の形態３に係る画像合成の様子を説明する図である。
【図１５】この実施の形態３の変形例を説明する図である。
【図１６】本発明の実施の形態４に係るカメラ１０における処理を説明するフローチャートである。
【図１７】本発明の実施の形態４に係る送信対象の画像、及びオーナ顔画像を連結したデータフォーマットを示す図である。
【図１８】本発明の実施の形態４に係る受信側のカメラにおけるデータの再生手順を説明するフローチャートである。
【図１９】オーナ顔画像の挿入可否に関する設定例を示す図である。
【図１】
2006166409.tif 000003
【図２】
2006166409.tif 000004
【図３】
2006166409.tif 000005
【図４】
2006166409.tif 000006
【図５】
2006166409.tif 000007
【図６】
2006166409.tif 000008
【図７】
2006166409.tif 000009
【図８】
2006166409.tif 000010
【図９】
2006166409.tif 000011
【図１０】
2006166409.tif 000012
【図１１】
2006166409.tif 000013
【図１２】
2006166409.tif 000014
【図１３】
2006166409.tif 000015
【図１４】
2006166409.tif 000016
【図１５】
2006166409.tif 000017
【図１６】
2006166409.tif 000018
【図１７】
2006166409.tif 000019
【図１８】
2006166409.tif 000020
【図１９】
2006166409.tif 000021